(57)【特許請求の範囲】
【請求項１】
パケット交換ネットワークにおいて、ルートごとに複数のインカミングインタフェースから受信され得るマルチキャストメッセージを転送するためのネットワークノードであって、
個別のソース及びマルチキャストグループに関連付けられるマルチキャストメッセージを受信するように動作可能なプライマリインカミングインタフェースと、
前記プライマリインカミングインタフェース又は当該プライマリインカミングインタフェースに結合される送信パスが動作不能である場合にバックアップインタフェースとしてサービスするように動作可能なセカンダリインカミングインタフェースと、
前記マルチキャストグループに参加済みのホストへ接続されるアウトゴーイングインタフェースと、
前記ネットワークノードがリング型トポロジーの一部であるかを判定し、そうである場合に、前記ソース及びマルチキャストグループに関連付けられる前記プライマリインカミングインタフェース上で受信される前記マルチキャストメッセージを、前記ホストと、前記セカンダリインカミングインタフェースとの双方へマルチキャストし、前記ソース及びマルチキャストグループに関連付けられる前記セカンダリインカミングインタフェース上で受信される前記マルチキャストメッセージを、前記プライマリインカミングインタフェースへユニキャストする、ように動作可能なデータフロー制御部と、
を備え、
前記データフロー制御部は、マルチキャストメッセージが受信される都度、前記ネットワークノードがリング型トポロジーの一部であるかを判定するように動作可能であり、前記ネットワークノードがリング型トポロジーの一部ではない場合には、前記セカンダリインカミングインタフェース上で受信される前記マルチキャストメッセージを破棄する、
ネットワークノード。
【請求項２】
前記マルチキャストメッセージは、プロトコル非依存マルチキャストデュアルジョインメッセージである、請求項１のネットワークノード。
【請求項３】
前記データフロー制御部は、前記ネットワークの事業者から受信される制御シグナリングに応じて、前記ネットワークノードがリング型トポロジーの一部であるかを判定するように動作可能である、請求項１のネットワークノード。
【請求項４】
前記ネットワークノードは、ルータである、請求項１のネットワークノード。
【請求項５】
前記データフロー制御部は、前記ネットワークノードがリング型トポロジーの一部である場合に、前記プライマリインカミングインタフェース又は当該プライマリインカミングインタフェースに結合される送信パスが動作不能であるかを判定し、そうである場合に、前記セカンダリインカミングインタフェース上で受信される前記マルチキャストメッセージを前記ネットワークノードの１つ以上のアウトゴーイングインタフェース上で前記ホストへマルチキャストする、ようにさらに動作可能である、請求項１のネットワークノード。
【請求項６】
前記データフロー制御部は、前記プライマリインカミングインタフェース又は当該プライマリインカミングインタフェースに結合される送信パスが動作不能であって前記ネットワークノードがリング型トポロジーの一部である場合に、制御プレーンの通知なしで、前記セカンダリインカミングインタフェース上で受信される前記マルチキャストメッセージを前記ホストへマルチキャストする、ように動作可能である、請求項１のネットワークノード。
【請求項７】
前記データフロー制御部は、前記ネットワークノードにおいて受信される制御プレーンのシグナリングに応じて、前記プライマリインカミングインタフェース又は当該プライマリインカミングインタフェースに結合される送信パスが動作不能であるかを判定する、ように動作可能である、請求項１のネットワークノード。
【請求項８】
前記データフロー制御部は、前記プライマリインカミングインタフェース上で物理リンク障害を検出することにより、前記プライマリインカミングインタフェース又は当該プライマリインカミングインタフェースに結合される送信パスが動作不能であると判定する、ように動作可能である、請求項１のネットワークノード。
【請求項９】
パケット交換ネットワークにおいて、ルートごとに複数のインカミングインタフェースから受信され得るマルチキャストメッセージを転送するようにネットワークノードを動作させる方法であって、
前記ネットワークノードは、プライマリインカミングインタフェース、セカンダリインカミングインタフェース、及び、マルチキャストグループに参加済みのホストへ接続されるアウトゴーイングインタフェース、を備え、
前記方法は、
前記ネットワークノードの前記プライマリインカミングインタフェース上で、個別のソース及びマルチキャストグループに関連付けられるマルチキャストメッセージを受信することと、
前記プライマリインカミングインタフェース又は当該プライマリインカミングインタフェースに結合される送信パスが動作不能である場合にバックアップインタフェースとして前記ネットワークノードの前記セカンダリインカミングインタフェースを使用することと、
前記ネットワークノードがリング型トポロジーの一部であるかを判定することと、
前記ネットワークノードがリング型トポロジーの一部である場合に、前記ソース及びマルチキャストグループに関連付けられる前記プライマリインカミングインタフェース上で受信されるマルチキャストメッセージを、前記ホストと、前記セカンダリインカミングインタフェースとの双方へマルチキャストし、前記ソース及びマルチキャストグループに関連付けられる前記セカンダリインカミングインタフェース上で受信されるマルチキャストメッセージを、前記プライマリインカミングインタフェースへユニキャストすることと、
を含み、
前記ネットワークノードがリング型トポロジーの一部であるという前記判定は、マルチキャストメッセージが受信される都度行われ、前記ネットワークノードがリング型トポロジーの一部ではない場合には前記セカンダリインカミングインタフェース上で受信される前記マルチキャストメッセージが破棄される、
方法。
【請求項１０】
前記マルチキャストメッセージは、プロトコル非依存マルチキャストデュアルジョインメッセージである、請求項９の方法。
【請求項１１】
前記ネットワークの事業者から受信される制御シグナリングに応じて、前記ネットワークノードがリング型トポロジーの一部であるかを判定すること、を含む、請求項９の方法。
【請求項１２】
前記ネットワークノードがリング型トポロジーの一部である場合に、前記プライマリインカミングインタフェース又は当該プライマリインカミングインタフェースに結合される送信パスが動作不能であるかを判定し、そうである場合に、前記セカンダリインカミングインタフェース上で受信される前記マルチキャストメッセージを前記ネットワークノードの１つ以上のアウトゴーイングインタフェース上で前記ホストへマルチキャストすること、をさらに含む、請求項９の方法。
【請求項１３】
前記プライマリインカミングインタフェース又は当該プライマリインカミングインタフェースに結合される送信パスが動作不能であって前記ネットワークノードがリング型トポロジーの一部である場合に、制御プレーンの通知なしで、前記セカンダリインカミングインタフェース上で受信される前記マルチキャストメッセージを前記ホストへマルチキャストすること、を含む、請求項９の方法。
【請求項１４】
前記ネットワークノードにおいて受信される制御プレーンのシグナリングに応じて、前記プライマリインカミングインタフェース又は当該プライマリインカミングインタフェースに結合される送信パスが動作不能であるかを判定すること、を含む、請求項９の方法。
【請求項１５】
前記プライマリインカミングインタフェース上で物理リンク障害を検出することにより、前記プライマリインカミングインタフェース又は当該プライマリインカミングインタフェースに結合される送信パスが動作不能であると判定すること、を含む、請求項９の方法。
【発明の詳細な説明】
【技術分野】
【０００１】
【背景技術】
【０００２】
マルチキャスト動作において、個別のソースからの、個別のマルチキャストグループに関連付けられるマルチキャストパケットは、特定の入口（ingress）インタフェースにおいてルータに入る。従来のマルチキャスト転送（multicast  forwarding）の仕組みは、インカミングのインタフェース上で、同じグループ宛てのマルチキャストパケットの同じ宛て先からの転送に制約を課す。そのようにして、通常の動作条件下で、所与のソース及びグループについて、パケットは入口インタフェース上から出ることがない。
【０００３】
例えば、ＩＰＴＶ（Internet  Protocol  television）は、マルチキャストのルーティング及び転送の技術を用いて、サーバから、ＴＶへ接続されるセットトップボックス（ＳＴＢ）へ映像トラフィックを搬送する。スクリーンリフレッシュにおけるいかなる遅延をも回避し、又はいかなるトポロジー変化又はネットワークダウンイベントに起因するトラフィックロスをも最小化することは、サービスプロバイダにとって難しい。ＰＩＭ（プロトコル非依存マルチキャスト）デュアルジョインは、マルチキャストトラフィックが受信されるパス上に動作不能なリンクがあった場合に、マルチキャストネットワークがトラフィックロスを最小化することを可能にする機能性である。この技術は、特定の（Ｓ，Ｇ）ルートについてのマルチキャストデータを、複数のアップストリームインタフェースから引き出す。それら２つのインタフェースのうちの１つは、典型的にはプライマリインタフェースとして言及され、他のインタフェースは、典型的にはセカンダリインタフェースとして言及される。
【０００４】
プライマリパスが機能しなくなると、セカンダリパス上で受信されるトラフィックが、対象のホストにサービスするために使用される。しかしながら、従来のＰＩＭデュアルジョインの仕組みの実装は、リング型トポロジーが最も広く配備されているトポロジーの１つであるにも関わらず、スター型及びスクウェア型のネットワークトポロジーに限定されている。従来のＰＩＭデュアルジョイン技術がリング型のトポロジーに使用されると、プライマリパスが機能しなくなった際にセカンダリパスからのマルチキャストトラフィックでホストにサービスするという機能性が達成されない。実際、ＩＥＴＦ（Internet  Engineering  Task  Force）により呈示された、マルチキャストトラフィックについての高速リルートの機能性を特定するＭｏＦＲＲ（Multicast  only  Fast  ReRoute）のドラフトは、リング型トポロジーについてのサポートを含まない。そのため、セカンダリインタフェースは、従来では、リング型トポロジーのためにはマルチキャストトラフィックを受信しない。プライマリインタフェースがダウンすると、従って、ＰＩＭ（Protocol-Independent  Multicast）プロトコルに基づく新たに確立されるルーティングツリーを介してルートが収束しトラフィックフローが再開するまで、全てのホスト及びダウンストリームルータへのマルチキャストトラフィックはロストする。この遅延は、ＩＰＴＶを含む多くのタイプのアプリケーションにとって受け入れがたい。
【発明の概要】
【０００５】
ここで説明される実施形態によれば、ＰＩＭデュアルジョインの仕組みは、リング型のトポロジーの一部であるネットワークノードのために実装される。ネットワークノードは、個別のソース及びマルチキャストグループに関連付けられるトラフィックを受信するプライマリインカミングインタフェースと、プライマリインカミングインタフェース又は当該プライマリインカミングインタフェースに結合される送信パスが動作不能である場合にバックアップインタフェースとしてサービスするセカンダリインカミングインタフェースと、を含む。ここで説明されるＰＩＭデュアルジョインの仕組みが有効化される場合、セカンダリインカミングインタフェースから当該ノードへ入るトラフィックは、プライマリインカミングインタフェース上で送出される。加えて、セカンダリインカミングインタフェース上で受信されるトラフィックは、プライマリインカミングインタフェース又は当該プライマリインカミングインタフェースに結合される送信パスが動作不能である場合に、マルチキャストグループに参加するホストへ転送される。そのようにして、ＰＩＭデュアルジョインの特徴は、リング型のトポロジーの一部であるアクセスルータに顧客が接続される場合であっても利用可能となる。
【０００６】
パケット交換ネットワークにおける配備のためのネットワークノードの一実施形態によれば、当該ネットワークノードは、プライマリインカミングインタフェース、セカンダリインカミングインタフェース及びデータフロー制御部を含む。プライマリインカミングインタフェースは、個別のソース及びマルチキャストグループに関連付けられるトラフィックを受信するように動作可能である。セカンダリインカミングインタフェースは、前記プライマリインカミングインタフェース又は当該プライマリインカミングインタフェースに結合される送信パスが動作不能である場合にバックアップインタフェースとしてサービスするように動作可能である。データフロー制御部は、前記ネットワークノードがリング型トポロジーの一部であるかを判定し、そうである場合に、前記ソース及びマルチキャストグループに関連付けられる前記プライマリインカミングインタフェース上で受信されるトラフィックを、前記マルチキャストグループに参加するホストと、前記セカンダリインカミングインタフェースとの双方へ転送し、前記ソース及びマルチキャストグループに関連付けられる前記セカンダリインカミングインタフェース上で受信されるトラフィックを、前記プライマリインカミングインタフェースへ転送する、ように動作可能である。データフロー制御部は、前記ネットワークノードがリング型トポロジーの一部である場合に、前記プライマリインカミングインタフェース又は当該プライマリインカミングインタフェースに結合される送信パスが動作不能であるかを判定し、そうである場合に、前記セカンダリインカミングインタフェース上で受信される前記トラフィックを前記ホストへ転送する、ようにさらに動作可能である。
【０００７】
パケット交換ネットワークに配備されるネットワークノードを動作させる方法の一実施形態によれば、当該方法は、前記ネットワークノードのプライマリインカミングインタフェース上で、個別のソース及びマルチキャストグループに関連付けられるトラフィックを受信することと、前記プライマリインカミングインタフェース又は当該プライマリインカミングインタフェースに結合される送信パスが動作不能である場合にバックアップインタフェースとして前記ネットワークノードのセカンダリインカミングインタフェースを使用することと、を含む。当該方法は、さらに、前記ネットワークノードがリング型トポロジーの一部であるかを判定することと、そうである場合に、前記ソース及びマルチキャストグループに関連付けられる前記プライマリインカミングインタフェース上で受信されるトラフィックを、前記マルチキャストグループに参加するホストと、前記セカンダリインカミングインタフェースとの双方へ転送し、前記ソース及びマルチキャストグループに関連付けられる前記セカンダリインカミングインタフェース上で受信されるトラフィックを、前記プライマリインカミングインタフェースへ転送することと、を含む。当該方法は、さらに、前記ネットワークノードがリング型トポロジーの一部である場合に、前記プライマリインカミングインタフェース又は当該プライマリインカミングインタフェースに結合される送信パスが動作不能であるかを判定し、そうである場合に、前記セカンダリインカミングインタフェース上で受信される前記トラフィックを前記ホストへ転送すること、を含む。
【０００８】
当然ながら、本発明は、上述した特徴及び利点に限定されない。当業者は、以下の詳細な説明を読み、添付図面を見た後、追加的な特徴及び利点を認識するであろう。
【図面の簡単な説明】
【０００９】
【図１】マルチキャストトラフィックを伴う、リング型トポロジーで構成されるパケット交換ネットワークの一実施形態のブロック図である。
【図２】図１のパケット交換ネットワークに含まれるネットワークノードの一実施形態を例示している。
【図３】リンク障害を伴う図１のパケット交換ネットワークを例示している。
【図４】リンク障害に応じた図２に示したネットワークノードの動作を例示している。
【図５】一実施形態に係るパケット交換ネットワークに配備されるネットワークノードを動作させる方法の論理フロー図である。
【発明を実施するための形態】
【００１０】
図１はパケット交換ネットワーク１００の一実施形態を例示しており、パケット交換ネットワーク１００は複数のネットワークノード１１０を含み、ネットワークノードの１つ１１０´は、他のデバイスへコンテンツを利用可能にするソース１２０に接続される。いくつかの実施形態において、ネットワークノード１１０は、図１に示したように、対応するリンク１３０を介して接続される隣接ノードと共に、リング型のトポロジーで構成されるルータ群である。トラフィックは、各リンク１３０上を双方の方向へ流れることができる。ネットワークノード１１０は、ソース及び個別のマルチキャストグループに関連付けられるトラフィックを受信するプライマリインカミングインタフェース（ＩＩＦ）１１２と、プライマリＩＩＦ１１２又はプライマリＩＩＦ１１２に結合される送信パスが動作不能である場合にバックアップインタフェースとしてサービスするセカンダリＩＩＦ１１４とを含む。ホスト１４０は、マルチキャストグループに参加（join）して、ソース１２０からのコンテンツを受信することができる。ホスト１４０は、ネットワークノード１１０の１つに直接的に接続されるデバイス、又はネットワークノード１１０の１つへ連結され１つ以上の他のホストデバイス１４０へのコンテンツの配信を容易にするアクセスネットワーク１４０´へ接続されるデバイスであってよい。各ケースにおいて、ホスト１４０へのコンテンツの配信は、パケット交換ネットワーク１００のリング型のトポロジー上でトラフィックを伝播させることにより遂行される。１つの方向でのマルチキャストトラフィックフローは、図１において内側の破線で示されており、他の方向でのマルチキャストトラフィックフローは、図１において外側の破線で示されている。
【００１１】
また、ネットワークノード１１０は、ＩＩＦ１１２、１１４及び対応するネットワークノード１１０内のトラフィックフローを管理するためのデータフロー制御部１１６を含む。データフロー制御部１１６は、ネットワークノード１１０がリング型のトポロジーの一部であるかを判定し、そうである場合、プライマリＩＩＦ１１２上で受信される、個別のソース及びマルチキャストグループに関連付けられるトラフィックを、当該マルチキャストグループに参加するホスト１４０と、ノード１１０のセカンダリＩＩＦ１１４との双方へ転送する。また、データフロー制御部１６０は、ノード１１０がリング型のトポロジーの一部である場合に、セカンダリＩＩＦ１１４上で受信される、同じソース及びマルチキャストグループに関連付けられるトラフィックを、ネットワークノード１１０のプライマリＩＩＦ１１２へ転送する。そうではなく、ネットワークノード１１０がリング型のトポロジーの一部でない場合には、データフロー制御部１１６は、セカンダリＩＩＦ１１４上で受信されるトラフィックを破棄し（drop）、よってセカンダリＩＩＦ１１４上で受信される当該トラフィックを他のネットワークノード１１０へ転送しない。ネットワークノード１１０がリング型のトポロジーの一部であって、プライマリＩＩＦ１１２又はプライマリＩＩＦ１１２に結合される送信パス１３０が動作不能である場合には、データフロー制御部１１６は、セカンダリＩＩＦ１１４上で受信されるトラフィックを、コンテンツの配信を保証するために、ノード１１０に接続しているホスト１４０へ転送する。これら機能を提供することにより、データフロー制御部１１６は、リング型のトポロジーの一部であるネットワークノード１１０のためのＰＩＭデュアルジョインの仕組みを実装する。
【００１２】
図２は、ネットワークノード１１０の１つをより詳細に例示している。ネットワークノード１１０は、本実施形態に係る、リング型のトポロジーの一部を形成するマルチキャストルータ２００である。マルチキャストトラフィックの到来は、（Ｓ，Ｇ）エントリ又は状態（state）をルータ２００内に生成する。プライマリインタフェース及びセカンダリインタフェースの双方においてマルチキャストトラフィックを受信することができる。個別のソース及びマルチキャストグループに関連付けられるトラフィックは、対応するプライマリＩＩＦ１１２上で受信され、データフロー制御部１１６によって、例えばそれぞれのアウトゴーイングインタフェース２１０上で、当該マルチキャストグループに参加する全てのホスト１４０へマルチキャストされる。また、データフロー制御部１１６は、プライマリＩＩＦ１１２上で受信されるトラフィックを、（ホストへ向かう）ダウンストリームのルータへ、セカンダリＩＩＦ１１４上でマルチキャストする。加えて、セカンダリＩＩＦ１１４上で受信される関連するトラフィックは、リングが双方向で完全となるように、データフロー制御部１１６によって、（ソースへ向かう）アップストリームのルータへ、プライマリＩＩＦ１１２上でユニキャストされる。データフロー制御部１１６により実装されるこれら機能は、ルータ２００の転送プレーン２２０の一部を形成する。
【００１３】
また、ルータ２００は、制御プレーンＰＩＭ部２３２により制御される制御プレーン２３０をも有する。いくつかの実施形態において、制御プレーンＰＩＭ部２３２は、自動構成プロセスを実装し、それにより、ルータ２００は、個別のマルチキャストトラフィックに関連付けられるプライマリＩＩＦ１１２について、ルータ２００により維持されるルーティング情報を含むＲＩＢ（Routing  Information  Base）を介して学習する。また、制御プレーンＰＩＭ部２３２は、手動構成プロセスをも実装することができ、それにより対応するセカンダリＩＩＦ１１４が構成される。概して、制御プレーンＰＩＭ部２３２は、リング型のトポロジーの一部である場合に、ルータ２００を横断するマルチキャストトラフィックの各グループについて、データフロー制御部１１６がプライマリＩＩＦ１１２及びセカンダリＩＩＦ１１４を認識することを保証する。
【００１４】
１つの実施形態において、データフロー制御部１１６は、マルチキャストメッセージの対応するプライマリＩＩＦ１１２上での受信に応じて、ルータ２００がリング型トポロジーの一部であると判定し、当該マルチキャストメッセージは、ルートごとに複数のインカミングインタフェースを示す。当該マルチキャストメッセージは、一実施形態によれば、プライマリＩＩＦ１１２上で隣接ルータから受信されるＰＩＭデュアルジョインメッセージである。他の実施形態において、データフロー制御部１１６は、ネットワークの事業者から受信される制御シグナリングに応じて、ルータ２００がリング型トポロジーの一部であるかを判定する。各ケースにおいて、データフロー制御部１１６は、ルータ２００がリング型トポロジーの一部である場合に、セカンダリＩＩＦ１１４上で受信されるトラフィックを、プライマリＩＩＦ１１２へユニキャストする。そうでない場合、セカンダリＩＩＦ１１４上に到来するマルチキャストトラフィックは、入口において破棄され、プライマリＩＩＦ１１２上でユニキャストされない。
【００１５】
図３は、リング型のトポロジーの一部を形成するネットワークノード１１０の２つの間でのリンク障害を伴う、図１のパケット交換ネットワーク１００を示している。リング接続は、リンク障害を原因として一時的に壊れている。しかしながら、ネットワーク１００を横断するトラフィックを有する個別のマルチキャストグループに参加するホスト１４０は、影響を受けるネットワークノード１１０のデータフロー制御部１１６により実装されるトラフィック管理の技法を原因として、依然としてコンテンツにアクセスすることができる。図３に示されるように、ネットワークノード１１０に接続されるリンク１３０が動作不能になり、又は対応するプライマリＩＩＦ１１２が動作不能になるというイベントにおいて、影響を受けるネットワークノード１１０は、当該イベントを検出し、セカンダリＩＩＦ１１４上で受信されるトラフィックのホスト１４０及びダウンストリームのネットワークノード１１０への転送を即座に開始する。
【００１６】
図４は、動作不能なリンク１３０又はプライマリＩＩＦ１１２により影響を受けるネットワークノード１１０に含まれるデータフロー制御部１１６の動作を示している。動作不能な状態の検出に応じて、データフロー制御部１１６は、セカンダリＩＩＦ１１４上で受信されるマルチキャストトラフィックを、１つ以上のアウトゴーイングインタフェース２１０上で、対応するホスト１４０へ転送する。データフロー制御部１１６は、ネットワークノード１１０において受信される制御プレーンのシグナリングに応じて、又はプライマリＩＩＦ１１２上の物理リンク障害を検出することにより、リンクが動作不能であることを判定することができる。いずれのケースでも、データフロー制御部１１６は、アクセスネットワークのホスト１４０´を介して、ホスト１４０のいくつか又は全てへトラフィックを転送してもよい。１つの実施形態において、データフロー制御部１１６は、セカンダリＩＩＦ１１４上で受信されるトラフィックを、各ホスト１４０へマルチキャストする。データフロー制御部１１６は、制御プレーン２３０からの通知と共に、又は当該通知なしに、トラフィックを転送することができる。リンク障害ではなく、プライマリＩＩＦ１１２が代わりに動作不能になり得る。いずれのケースでも、データフロー制御部１１６は、リング型のトポロジーの一部であるネットワーク１１０が動作不能なリンク１３０又はプライマリＩＩＦ１１２を有するにも関わらず、ホスト１４０がマルチキャストされるコンテンツを受信することを保証するように、上述したトラフィック転送手続を実行する。
【００１７】
図５は、パケット交換ネットワークに配備されるネットワークノードを動作させる方法の一実施形態を例示している。本方法は、個別のソース及びマルチキャストグループに関連付けられるトラフィックのためにネットワークノードのプライマリＩＩＦ及びセカンダリＩＩＦを構成すること（ステップ３００）と、ネットワークノードがリング型のトポロジーの一部であるかを判定すること（ステップＳ３１０）と、を含む。一部でない場合、セカンダリＩＩＦ上で受信されるトラフィックは破棄される（ステップＳ３２０）。ノードがリング型のトポロジーの一部である場合、データフロー制御部は、プライマリＩＩＦ又はプライマリＩＩＦに接続されるリンクが動作不能であるかを判定する（ステップＳ３３０）。動作不能である場合、セカンダリＩＩＦ上で受信されるトラフィックは、例えば１つ以上のアウトゴーイングインタフェース上でトラフィックを各ホストへマルチキャストすることにより、マルチキャストグループに参加する１つ以上のホストへ転送される（ステップＳ３４０）。そうでなければ、ソース及びマルチキャストグループに関連付けられるプライマリＩＩＩＦ上で受信されるトラフィックは、マルチキャストグループに参加するホストへ転送され（ステップＳ３５０）、同じソース及びマルチキャストグループに関連付けられるセカンダリＩＩＦ上で受信されるトラフィックは、プライマリＩＩＦへ転送される（ステップＳ３６０）。トラフィックがリング構成のネットワークの各リンク上を双方の方向に流れることができるように、このトラフィックをリング型のトポロジー上で他のネットワークノードへマルチキャストすることができる。
【００１８】
変形及び応用の上述した範囲を念頭に置きつつ、本発明が上述した説明によって限定されるものではなく、添付図面によっても限定されないことが理解されるべきである。その代わりに、本発明は、後続の特許請求の範囲及びその法的な均等物によってのみ限定される。
【図１】
0005972287.tif 000002
【図２】
0005972287.tif 000003
【図３】
0005972287.tif 000004
【図４】
0005972287.tif 000005
【図５】
0005972287.tif 000006